(57)【要約】【課題】電力消耗を減少させることができるモバイル用表示デバイスの駆動装置及び駆動方法を提供する。【解決手段】４色のサブピクセル領域ごとに形成された液晶セルの光透過率を調節して画像を表示する液晶パネル１００と、電圧の充電されたバッテリ１１０と、バッテリの残量を検出し、液晶パネルの節電モードを設定するための節電モード信号を発生する節電モード信号発生部１２０と、節電モード信号によってゲイン値を設定し、設定されたゲイン値によって外部からの３色入力データを４色データに変換し、節電モード信号によってディミング信号を発生する制御部１３０と、４色データに対応する画像を液晶パネルに表示するパネルドライバ１４０と、ディミング信号によってランプ駆動電圧を発生するインバータ１５０と、ランプ駆動電圧によって光を発生して液晶パネルに照射するバックライトユニット１６０とを備える。【選択図】図１
2007199689.tif 000002
【特許請求の範囲】
【請求項１】
４色のサブピクセル領域ごとに形成された液晶セルの光透過率を調節して画像を表示する液晶パネルと、
電圧の充電されたバッテリと、
前記バッテリの残量を検出し、前記液晶パネルの節電モードを設定するための節電モード信号を発生する節電モード信号発生部と、
前記節電モード信号によってゲイン値を設定し、設定されたゲイン値によって外部からの３色入力データを４色データに変換し、前記節電モード信号によってディミング信号を発生する制御部と、
前記４色データに対応する画像を前記液晶パネルに表示するパネルドライバと、
前記ディミング信号によってランプ駆動電圧を発生するインバータと、
前記ランプ駆動電圧によって光を発生して前記液晶パネルに照射するバックライトユニットと、
を備えて構成されることを特徴とするモバイル用表示デバイスの駆動装置。
【請求項２】
前記節電モード信号発生部は、
前記バッテリ残量に対応する検出信号を発生するバッテリ残量検出部と、
前記検出信号が基準信号以上の場合、ハイ状態の節電モード信号を発生し、前記検出信号が基準信号以下の場合、ロー状態の節電モード信号を発生する比較部と、
を備えて構成されることを特徴とする請求項１に記載のモバイル用表示デバイスの駆動装置。
【請求項３】
４色のサブピクセル領域ごとに形成された液晶セルの光透過率を調節して画像を表示する液晶パネルと、
周辺光量を検出する光センサーと、
前記周辺光量によって前記液晶パネルの節電モードを設定するための節電モード信号を発生する節電モード信号発生部と、
前記節電モード信号によってゲイン値を設定し、設定されたゲイン値によって外部からの３色入力データを４色データに変換し、前記節電モード信号によってディミング信号を発生する制御部と、
前記４色データに対応する画像を前記液晶パネルに表示するパネルドライバと、
前記ディミング信号によってランプ駆動電圧を発生するインバータと、
前記ランプ駆動電圧によって光を発生して前記液晶パネルに照射するバックライトユニットと、
を備えて構成されることを特徴とするモバイル用表示デバイスの駆動装置。
【請求項４】
前記節電モード信号発生部は、前記周辺光量が基準信号以上の場合、ハイ状態の節電モード信号を発生し、前記周辺光量が基準信号以下の場合、ロー状態の節電モード信号を発生する比較部を備えて構成されることを特徴とする請求項３に記載のモバイル用表示デバイスの駆動装置。
【請求項５】
前記制御部は、
外部から入力される同期信号を用いて前記パネルドライバを制御するための制御信号を発生するドライバ制御信号発生部と、
前記節電モード信号によってゲイン値を設定し、設定されたゲイン値によって外部からの３色入力データを４色データに変換するデータ変換部と、
前記４色データのうちの白色データと、前記節電モード信号とを用いて前記ディミング信号を発生するディミング信号発生部と、
を備えて構成されることを特徴とする請求項２または４に記載のモバイル用表示デバイスの駆動装置。
【請求項６】
前記データ変換部は、
前記節電モード信号がハイ状態の場合には前記ゲイン値を１〜２の範囲に設定し、前記節電モード信号がロー状態の場合には前記ゲイン値を２以上の有理数に設定するゲイン値設定部と、
前記３色入力データに前記ゲイン値を乗算して３色増幅データを発生するデータ増幅部と、
前記３色増幅データから前記白色データを抽出する白色データ抽出部と、
前記３色増幅データから前記白色データを減算して３色データを発生する減算部と
を備え、
前記４色データは、前記減算部からの３色データと、前記白色データとであることを特徴とする請求項５に記載のモバイル用表示デバイスの駆動装置。
【請求項７】
前記データ変換部は、
前記節電モード信号がハイ状態の場合には前記ゲイン値を１〜２の範囲に設定し、前記節電モード信号がロー状態の場合には前記ゲイン値を２以上の有理数に設定するゲイン値設定部と、
前記３色入力データをガンマ補正し、線形化した１次３色データを発生する第１ガンマ補正部と、
前記１次３色データを輝度成分と色差成分とに分離する輝度／色差分離部と、
前記分離された輝度成分に前記ゲイン値を乗算し、増幅された輝度成分を発生する輝度増幅部と、
前記増幅された輝度成分と前記分離された色差成分とをミキシングして２次３色データを発生するミキシング部と、
前記２次３色データをガンマ補正して３色データを発生し、前記増幅された輝度成分をガンマ補正して前記白色データを発生する第２ガンマ補正部と
を備え、
前記４色データは、前記３色データと、前記白色データとであることを特徴とする請求項５に記載のモバイル用表示デバイスの駆動装置。
【請求項８】
前記データ変換部は、
前記節電モード信号がハイ状態の場合には前記ゲイン値を１〜２の範囲に設定し、前記節電モード信号がロー状態の場合には前記ゲイン値を２以上の有理数に設定するゲイン値設定部と、
前記３色入力データに前記ゲイン値を乗算して３色増幅データを発生するデータ増幅部と、
前記３色増幅データから前記白色データを抽出する白色データ抽出部と、
前記３色増幅データから前記白色データを減算して３色データを発生する減算部と、
前記節電モード信号によって前記３色データを選択的に出力する選択部と
を備え、
前記４色データは、前記減算部からの３色データと、前記白色データとであることを特徴とする請求項５に記載のモバイル用表示デバイスの駆動装置。
【請求項９】
前記選択部は、前記ハイ状態の節電モード信号によって、前記３色データを前記パネルドライバに供給し、前記ロー状態の節電モード信号によって、前記３色データを前記パネルドライバに供給しないことを特徴とする請求項８に記載のモバイル用表示デバイスの駆動装置。
【請求項１０】
前記ロー状態の節電モード信号に対応する節電モードである場合、前記液晶パネルには前記白色データによって白黒画像が表示されることを特徴とする請求項９に記載のモバイル用表示デバイスの駆動装置。
【請求項１１】
前記データ変換部は、
前記節電モード信号がハイ状態の場合には前記ゲイン値を１〜２の範囲に設定し、前記節電モード信号がロー状態の場合には前記ゲイン値を２以上の有理数に設定するゲイン値設定部と、
前記３色入力データをガンマ補正し、線形化した１次３色データを発生する第１ガンマ補正部と、
前記１次３色データを輝度成分と色差成分とに分離する輝度／色差分離部と、
前記分離された輝度成分に前記ゲイン値を乗算し、増幅された輝度成分を発生する輝度増幅部と、
前記増幅された輝度成分と前記分離された色差成分とをミキシングして２次３色データを発生するミキシング部と、
前記節電モード信号によって前記２次３色データを選択的に出力する選択部と、
前記選択部からの前記２次３色データをガンマ補正して３色データを発生し、前記増幅された輝度成分をガンマ補正して前記白色データを発生する第２ガンマ補正部と
を備え、
前記４色データは、前記３色データと、前記白色データとであることを特徴とする請求項５に記載のモバイル用表示デバイスの駆動装置。
【請求項１２】
前記選択部は、前記ハイ状態の節電モード信号によって、前記３色データを前記第２ガンマ補正部に供給し、前記ロー状態の節電モード信号によって、前記３色データを前記第２ガンマ補正部に供給しないことを特徴とする請求項１１に記載のモバイル用表示デバイスの駆動装置。
【請求項１３】
前記ロー状態の節電モード信号に対応する節電モードである場合、前記液晶パネルには前記白色データによって白黒画像が表示されることを特徴とする請求項１２に記載のモバイル用表示デバイスの駆動装置。
【請求項１４】
前記ディミング信号発生部は、
設定されたディミングカーブから前記白色データに対応する第１ディミング値を抽出するディミング値抽出部と、
前記バックライトユニットの電力消耗を減少させるために固定された値に設定されるか、使用者によって設定される第２ディミング値と、
前記節電モード信号がハイ状態の場合には、前記第１ディミング値を前記ディミング信号として選択して前記インバータに供給し、前記節電モード信号がロー状態の場合には、前記第２ディミング値を前記ディミング信号として選択して前記インバータに供給する選択部と
を備えて構成されることを特徴とする請求項５に記載のモバイル用表示デバイスの駆動装置。
【請求項１５】
前記ディミングカーブは、最小ディミング値と最大ディミング値との間に設定される一次曲線、二次曲線及び対角線形態のいずれか一形態を有することを特徴とする請求項１４に記載のモバイル用表示デバイスの駆動装置。
【請求項１６】
４色のサブピクセル領域ごとに形成された液晶セルの光透過率を調節して画像を表示する液晶パネルを備えるモバイル用表示デバイスの駆動方法であって、
電圧が充電されたバッテリの残量を検出し、前記液晶パネルの節電モードを設定するための節電モード信号を発生する第１段階と、
前記節電モード信号によってゲイン値を設定し、設定されたゲイン値によって外部からの３色入力データを４色データに変換し、前記節電モード信号によってディミング信号を発生する第２段階と、
前記ディミング信号に対応するランプ駆動電圧によってバックライトユニットを駆動して前記液晶パネルに光を照射する第３段階と、
前記４色データに対応する画像信号を前記液晶パネルに供給して画像を表示する第４段階と
を備えることを特徴とするモバイル用表示デバイスの駆動方法。
【請求項１７】
前記第１段階は、
前記バッテリ残量に対応する検出信号を発生する段階と、
前記検出信号が基準信号以上の場合には、ハイ状態の節電モード信号を発生し、前記検出信号が基準信号以下の場合には、ロー状態の節電モード信号を発生する段階と
を備えることを特徴とする請求項１６に記載のモバイル用表示デバイスの駆動方法。
【請求項１８】
４色のサブピクセル領域ごとに形成された液晶セルの光透過率を調節して画像を表示する液晶パネルを備えるモバイル用表示デバイスの駆動方法であって、
周辺光量を検出し、前記液晶パネルの節電モードを設定するための節電モード信号を発生する第１段階と、
前記節電モード信号によってゲイン値を設定し、設定されたゲイン値によって外部からの３色入力データを４色データに変換し、前記節電モード信号によってディミング信号を発生する第２段階と、
前記ディミング信号に対応するランプ駆動電圧によってバックライトユニットを駆動して前記液晶パネルに光を照射する第３段階と、
前記４色データに対応する画像信号を前記液晶パネルに供給して画像を表示する第４段階と
を備えることを特徴とするモバイル用表示デバイスの駆動方法。
【請求項１９】
前記第１段階は、
前記周辺光量が基準信号以上の場合には、ハイ状態の節電モード信号を発生し、前記周辺光量が基準信号以下の場合には、ロー状態の節電モード信号を発生することを特徴とする請求項１８に記載のモバイル用表示デバイスの駆動方法。
【請求項２０】
前記第２段階は、
外部から入力される同期信号を用いてパネルドライバを制御するための制御信号を発生する段階と、
前記節電モード信号によってゲイン値を設定し、設定されたゲイン値によって外部からの３色入力データを４色データに変換する段階と、
前記４色データのうちの白色データと、前記節電モード信号とを用いて前記ディミング信号を発生する段階と
を備えることを特徴とする請求項１７または１９に記載のモバイル用表示デバイスの駆動方法。
【請求項２１】
前記３色入力データを４色データに変換する段階は、
前記節電モード信号がハイ状態の場合には前記ゲイン値を１〜２の範囲に設定し、前記節電モード信号がロー状態の場合には前記ゲイン値を２以上の有理数に設定する段階と、
前記３色入力データに前記ゲイン値を乗算して３色増幅データを発生する段階と、
前記３色増幅データから前記白色データを抽出する段階と、
前記３色増幅データから前記白色データを減算して３色データを発生する段階と
を備え、
前記４色データは、前記３色データと、前記白色データとであることを特徴とする請求項２０に記載のモバイル用表示デバイスの駆動方法。
【請求項２２】
前記３色入力データを４色データに変換する段階は、
前記節電モード信号がハイ状態の場合には前記ゲイン値を１〜２の範囲に設定し、前記節電モード信号がロー状態の場合には前記ゲイン値を２以上の有理数に設定する段階と、
前記３色入力データをガンマ補正し、線形化した１次３色データを発生する段階と、
前記１次３色データを輝度成分と色差成分とに分離する段階と、
前記分離された輝度成分に前記ゲイン値を乗算し、増幅された輝度成分を発生する段階と、
前記増幅された輝度成分と前記分離された色差成分とをミキシングして２次３色データを発生する段階と、
前記２次３色データをガンマ補正して３色データを発生し、前記増幅された輝度成分をガンマ補正して前記白色データを発生する段階と
を備え、
前記４色データは、前記３色データと、前記白色データとであることを特徴とする請求項２０に記載のモバイル用表示デバイスの駆動方法。
【請求項２３】
前記３色入力データを４色データに変換する段階は、
前記節電モード信号がハイ状態の場合には前記ゲイン値を１〜２の範囲に設定し、前記節電モード信号がロー状態の場合には前記ゲイン値を２以上の有理数に設定する段階と、
前記３色入力データに前記ゲイン値を乗算して３色増幅データを発生する段階と、
前記３色増幅データから前記白色データを抽出する段階と、
前記３色増幅データから前記白色データを減算して３色データを発生する段階と、
前記節電モード信号によって前記３色データを選択的に出力する段階と
を備え、
前記４色データは、前記３色データと、前記白色データとであることを特徴とする請求項２０に記載のモバイル用表示デバイスの駆動方法。
【請求項２４】
前記３色データを選択的に出力する段階は、前記ハイ状態の節電モード信号によって、前記３色データを出力し、前記ロー状態の節電モード信号によって、前記３色データを出力しないことを特徴とする請求項２３に記載のモバイル用表示デバイスの駆動方法。
【請求項２５】
前記ロー状態の節電モード信号に対応する節電モードである場合、前記液晶パネルには前記白色データによって白黒画像が表示されることを特徴とする請求項２４に記載のモバイル用表示デバイスの駆動方法。
【請求項２６】
前記３色入力データを４色データに変換する段階は、
前記節電モード信号がハイ状態の場合には前記ゲイン値を１〜２の範囲に設定し、前記節電モード信号がロー状態の場合には前記ゲイン値を２以上の有理数に設定する段階と、
第１ガンマ補正部を用いて前記３色入力データをガンマ補正し、線形化した１次３色データを発生する段階と、
前記１次３色データを輝度成分と色差成分とに分離する段階と、
前記分離された輝度成分に前記ゲイン値を乗算し、増幅された輝度成分を発生する段階と、
前記増幅された輝度成分と前記分離された色差成分とをミキシングして２次３色データを発生する段階と、
前記節電モード信号によって前記２次３色データを選択的に出力する段階と、
第２ガンマ補正部を用いて前記選択部からの前記２次３色データをガンマ補正して３色データを発生し、前記増幅された輝度成分をガンマ補正して前記白色データを発生する段階と
を備え、
前記４色データは、前記３色データと、前記白色データとであることを特徴とする請求項２０に記載のモバイル用表示デバイスの駆動方法。
【請求項２７】
前記２次３色データを選択的に出力する段階は、前記ハイ状態の節電モード信号によって、前記３色データを前記第２ガンマ補正部に供給し、前記ロー状態の節電モード信号によって、前記３色データを前記第２ガンマ補正部に供給しないことを特徴とする請求項２６に記載のモバイル用表示デバイスの駆動方法。
【請求項２８】
前記ロー状態の節電モード信号に対応する節電モードである場合、前記液晶パネルには前記白色データによって白黒画像が表示されることを特徴とする請求項２７に記載のモバイル用表示デバイスの駆動方法。
【請求項２９】
前記ディミング信号を発生する段階は、
設定されたディミングカーブから前記白色データに対応する第１ディミング値を抽出する段階と、
前記バックライトユニットの電力消耗を減少させるために固定された値に設定されるか、使用者によって設定される第２ディミング値を供給する段階と、
前記節電モード信号がハイ状態の場合には、前記第１ディミング値を前記ディミング信号として出力し、前記節電モード信号がロー状態の場合には、前記第２ディミング値を前記ディミング信号として出力する段階とを備えることを特徴とする請求項２０に記載のモバイル用表示デバイスの駆動方法。
【請求項３０】
前記ディミングカーブは、最小ディミング値と最大ディミング値との間に設定される一次曲線、二次曲線及び対角線のいずれかの形状を有することを特徴とする請求項２９に記載のモバイル用表示デバイスの駆動方法。
【発明の詳細な説明】
【技術分野】
【０００１】
本発明は、モバイル用表示デバイスに係り、特に、電力消耗を減少させうるようにしたモバイル用表示デバイスの駆動装置及び駆動方法に関する。
【背景技術】
【０００２】
近来、モバイル用表示デバイスは、技術の急速な発展に伴い、音声通信から画像通信へ次第に移り変わってきている。
【０００３】
一般に、モバイル用表示デバイスには、移動通信端末機、ＰＣＳ（Personal Communication Service）端末機、ＰＤＡ（Personal Digital Assistant）、スマートフォン及び次世代移動通信（ＩＭＴ−２０００）端末機を含むモバイル用端末機、ノートブックコンピュータ、ナビゲーション端末機及び携帯用ゲーム機などがある。
【０００４】
なかでもモバイル用端末機は、一般に、音声通話を含む端末機運用に関する諸般情報を提供するために、液晶表示装置を使用する。液晶表示装置は、バックライトユニットから照射される光透過率を調節して画像を表示する。ここで、液晶表示装置は、マルチメディアの傾向に対応して応用範囲が広くなり、カラー化の傾向に対応して白黒表示からカラー表示に発展してきた。
【発明の開示】
【発明が解決しようとする課題】
【０００５】
しかしながら、モバイル用端末機は、単なる音声通話に加えてカラー画像の再生まで可能になるにつれて電力消耗が多くなり、バッテリ消耗が早いという不具合があった。
【０００６】
また、ノートブックコンピュータ、ナビゲーション端末機及び携帯用ゲーム機もまた、液晶表示装置を用いてカラー画像を表示するため電力消耗が多くなり、バッテリ消耗が早いという不具合があった。
【０００７】
本発明は上記の問題を解決するためのもので、その目的は、電力消耗を減少させうるようにしたモバイル用表示デバイスの駆動装置及び駆動方法を提供することにある。
【課題を解決するための手段】
【０００８】
上記目的を達成する本発明に係るモバイル用表示デバイスの駆動装置の一つは、４色のサブピクセル領域ごとに形成された液晶セルの光透過率を調節して画像を表示する液晶パネルと、電圧の充電されたバッテリと、前記バッテリの残量を検出し、前記液晶パネルの節電モードを設定するための節電モード信号を発生する節電モード信号発生部と、前記節電モード信号によってゲイン値を設定し、設定されたゲイン値によって外部からの３色入力データを４色データに変換し、前記節電モード信号によってディミング信号を発生する制御部と、前記４色データに対応する画像を前記液晶パネルに表示するパネルドライバと、前記ディミング信号によってランプ駆動電圧を発生するインバータと、前記ランプ駆動電圧によって光を発生して前記液晶パネルに照射するバックライトユニットとを備える構成とした。
【０００９】
上記目的を達成する本発明に係るモバイル用表示デバイスの駆動装置のもう一つは、４色のサブピクセル領域ごとに形成された液晶セルの光透過率を調節して画像を表示する液晶パネルと、周辺光量を検出する光センサーと、前記周辺光量によって前記液晶パネルの節電モードを設定するための節電モード信号を発生する節電モード信号発生部と、前記節電モード信号によってゲイン値を設定し、設定されたゲイン値によって外部からの３色入力データを４色データに変換し、前記節電モード信号によってディミング信号を発生する制御部と、前記４色データに対応する画像を前記液晶パネルに表示するパネルドライバと、前記ディミング信号によってランプ駆動電圧を発生するインバータと、前記ランプ駆動電圧によって光を発生して前記液晶パネルに照射するバックライトユニットとを備える構成とした。
【００１０】
上記目的を達成する本発明に係るモバイル用表示デバイスの駆動方法の一つは、４色のサブピクセル領域ごとに形成された液晶セルの光透過率を調節して画像を表示する液晶パネルを備えるモバイル用表示デバイスの駆動方法であって、電圧が充電されたバッテリの残量を検出し、前記液晶パネルの節電モードを設定するための節電モード信号を発生する第１段階と、前記節電モード信号によってゲイン値を設定し、設定されたゲイン値によって外部からの３色入力データを４色データに変換し、前記節電モード信号によってディミング信号を発生する第２段階と、前記ディミング信号に対応するランプ駆動電圧によってバックライトユニットを駆動して前記液晶パネルに光を照射する第３段階と、前記４色データに対応する画像信号を前記液晶パネルに供給して画像を表示する第４段階とを備える構成とした。
【００１１】
上記目的を達成する本発明に係るモバイル用表示デバイスの駆動方法のもう一つは、４色のサブピクセル領域ごとに形成された液晶セルの光透過率を調節して画像を表示する液晶パネルを備えるモバイル用表示デバイスの駆動方法であって、周辺光量を検出し、前記液晶パネルの節電モードを設定するための節電モード信号を発生する第１段階と、前記節電モード信号によってゲイン値を設定し、設定されたゲイン値によって外部からの３色入力データを４色データに変換し、前記節電モード信号によってディミング信号を発生する第２段階と、前記ディミング信号に対応するランプ駆動電圧によってバックライトユニットを駆動して前記液晶パネルに光を照射する第３段階と、前記４色データに対応する画像信号を前記液晶パネルに供給して画像を表示する第４段階とを備える構成とした。
【発明の効果】
【００１２】
本発明に係るモバイル用表示デバイスの駆動装置及び駆動方法によれば、バッテリの残量または周辺光量に対応する節電モード信号によってゲイン値を設定し３色データを４色データに変換して液晶パネルに表示すると共に、節電モード信号によってディミング信号を調節しバックライトユニットの消費電力を減少させうるため、バッテリの使用時間を増加させることが可能になる。
【００１３】
なお、本発明は、４色データのうち白色データによってバックライトユニットのディミング値を調節するため、３色サブピクセル構造と同じ輝度のカラー画像を表示することが可能になる。
【００１４】
さらに、本発明は、白色サブピクセルだけで白黒画像を表示し、バックライトユニットの消費電力をより減少させうるため、バッテリの使用時間をより増加させることが可能になる。
【発明を実施するための最良の形態】
【００１５】
以下、添付の図面を参照しつつ、本発明に係るモバイル用表示デバイスの駆動装置及び駆動方法の好適な実施の形態について詳細に説明する。
【００１６】
実施の形態１．
図１は、本発明の実施の形態１によるモバイル用表示デバイスの駆動装置を概略的に示すブロック図である。
【００１７】
図１を参照すると、本発明の実施の形態１によるモバイル用表示デバイスの駆動装置は、４色のサブピクセル領域ごとに形成された液晶セルの光透過率を調節して画像を表示する液晶パネル１００と、電圧の充電されたバッテリ１１０と、バッテリ１１０の残量を検出し、液晶パネル１００の節電モードを設定するための節電モード信号ＰＳＭを発生する節電モード信号発生部１２０と、節電モード信号ＰＳＭによってゲイン値を設定し、設定されたゲイン値によって外部からの３色入力データＲＩ、ＧＩ、ＢＩを４色データＲＧＢＷに変換し、節電モード信号ＰＳＭによってディミング信号Ｄｉｍを発生する制御部１３０と、制御部１３０からの４色データＲＧＢＷに対応する画像を液晶パネル１００に表示するパネルドライバ１４０と、制御部１３０からのディミング信号Ｄｉｍによってランプ駆動電圧ＶＬを発生するインバータ１５０と、インバータ１５０からのランプ駆動電圧ＶＬによって光を発生し、液晶パネル１００に照射するバックライトユニット１６０と、バッテリ１１０に充電された電圧を用いてモバイル用表示デバイスの駆動に必要な各種電源を発生する電源発生部１７０とを備えて構成される。
【００１８】
液晶パネル１００は、図示しない複数のゲートラインと複数のデータラインとによって定義される領域に形成された薄膜トランジスタと、薄膜トランジスタに接続される液晶セルとを備える。薄膜トランジスタは、ゲートラインからのスキャンパルスＳＰに応答してデータラインからの画像信号Ｖｄａｔａを液晶セルに供給する。液晶セルは、液晶を介在して対面する共通電極と、薄膜トランジスタに接続されたサブピクセル電極とで構成されるため、等価的に液晶キャパシタとして表示することができる。また、液晶セルは、液晶キャパシタに充電された画像信号を、次の画像信号が充電されるまで保持させるためのストレージキャパシタを含む。
【００１９】
このような液晶パネル１００は、マトリクス形態に配置された赤色Ｒ、緑色Ｇ、青色Ｂ及び白色Ｗのサブピクセルを含む。この時、赤色Ｒ、緑色Ｇ及び青色Ｂのサブピクセルのそれぞれには各色に対応するカラーフィルタが形成されるのに対し、白色Ｗのサブピクセルにはカラーフィルタが配置されない。そして、赤色Ｒ、緑色Ｇ、青色Ｂ及び白色Ｗのサブピクセルは、同じ面積比率または異なる面積比率のストライプ構造またはカッド（ｑｕａｄ）構造を有する。
【００２０】
バッテリ１１０には、モバイル用表示デバイスを長時間駆動するための一定の容量の電圧が充電されており、モバイル用表示デバイスの長時間駆動によって充電された電圧が消耗される場合、使用者により電圧が再充電される。
【００２１】
電源発生部１７０は、バッテリ１１０に充電された電圧を用いてモバイル用表示デバイスの駆動に必要な各種電源（ＶＤＤ、ＶＳＳ、Ｖｃｏｍ等）を発生する。
【００２２】
節電モード信号発生部１２０は、図２に示すように、バッテリ残量検出部１２２及び比較部１２４を備えて構成される。
【００２３】
バッテリ残量検出部１２２は、バッテリ１１０に充電された電圧を検出し、バッテリ残量に対応する検出信号ＢＣを比較部１２４に供給する。
【００２４】
比較部１２４は、使用者によってモバイル用表示デバイスが節電モードに設定された場合には、バッテリ残量検出部１２２からの検出信号ＢＣと基準信号ｒｅｆとを比較して節電モード信号ＰＳＭを発生する。このとき、節電モード信号ＰＳＭは、検出信号ＢＣが基準信号ｒｅｆ以上の場合にはハイ状態となり、そうでない場合にはロー状態となる。ここで、基準値ｒｅｆは、バッテリ総容量の３０％に該当するレベルにすると良い。
【００２５】
図１で、制御部１３０は、図３に示すように、ドライバ制御信号発生部１３２、データ変換部１３４及びディミング信号発生部１３６を含んで構成される。
【００２６】
ドライバ制御信号発生部１３２は、外部から入力されるクロック信号ＤＣＬＫ、データイネーブル信号ＤＥ、垂直及び水平同期信号Ｖｓｙｎｃ，Ｈｓｙｎｃを用いてパネルドライバ１４０を制御するためのデータ制御信号ＤＣＳ及びゲート制御信号ＧＣＳを発生する。
【００２７】
図４は、図３に示すデータ変換部１３４の実施の形態１を示すブロック図である。
【００２８】
図４を図１に結びつけて説明すると、本発明の実施の形態１によるデータ変換部１３４は、ゲイン値設定部２１０、データ増幅部２１２、白色データ抽出部２１４及び減算部２１６を含んで構成される。
【００２９】
ゲイン値設定部２１０は、節電モード信号発生部１２０からの節電モード信号ＰＳＭによってゲイン値Ｇａｉｎを設定してデータ増幅部２１２に供給する。
【００３０】
具体的に、ゲイン値設定部２１０は、節電モード信号ＰＳＭがハイ状態の場合には、ゲイン値Ｇａｉｎを“１≦Ｇ＜２”の範囲に設定してデータ増幅部２１２に供給する。一方、ゲイン値設定部２１０は、節電モード信号ＰＳＭがロー状態の場合には、ゲイン値Ｇａｉｎを最大または２以上の有理数に設定してデータ増幅部２１２に供給する。
【００３１】
データ増幅部２１２は、下式（１）のように、外部から入力される３色入力データＲＩ、ＧＩ、ＢＩのそれぞれに、ゲイン値設定部２１０からのゲイン値Ｇａｉｎを乗算して３色増幅データＲａ、Ｇａ、Ｂａを発生する。
【００３２】
Ｒａ＝ＲＩ×Ｇａｉｎ
Ｇａ＝ＧＩ×Ｇａｉｎ                                                  （１）
Ｂａ＝ＢＩ×Ｇａｉｎ
【００３３】
白色データ抽出部２１４は、データ増幅部２１２から入力される３色増幅データＲａ、Ｇａ、Ｂａから白色データＷを抽出し、これを減算部２１６、パネルドライバ１４０及びディミング信号発生部１３６に供給する。この時、白色データＷは、３色増幅データＲａ、Ｇａ、Ｂａの共通成分、すなわち、赤色Ｒａ、緑色Ｇａ及び青色Ｂａデータのそれぞれの階調値のうち、最小階調値になりうる。また、白色データＷは、赤色Ｒａ、緑色Ｇａ及び青色Ｂａデータのそれぞれの階調値のうち、最大階調値と最小階調値との差、または、平均階調値になっても良い。
【００３４】
減算部２１６は、下式（２）のように、データ増幅部２１２から入力される３色増幅データＲａ、Ｇａ、Ｂａのそれぞれから、白色データ抽出部２１４から供給される白色データＷを減算して、４色データＲＧＢＷのうち３色データＲＧＢを発生する。
Ｒ＝Ｒａ−Ｗ
Ｇ＝Ｇａ−Ｗ                                                          （２）
Ｂ＝Ｂａ−Ｗ
【００３５】
このような、本発明の実施の形態１によるデータ変換部１３４は、節電モード信号ＰＳＭによって設定されるゲイン値Ｇａｉｎによって３色入力データＲＩ、ＧＩ、ＢＩを増幅し、３色増幅データＲａ、Ｇａ、Ｂａから白色データＷを抽出すると共に、３色増幅データＲａ、Ｇａ、Ｂａから白色データＷを減算して３色データＲＧＢを発生する。そして、本発明の実施の形態１によるデータ変換部１３４は、白色データ抽出部２１４で抽出される白色データＷと、減算部２１６から出力される３色データＲＧＢとを４色データＲＧＢＷとしてパネルドライバ１４０に供給する。
【００３６】
図３で、ディミング信号発生部１３６は、図５に示すように、ディミング値抽出部２２０及び選択部２２２を含んで構成される。
【００３７】
ディミング値抽出部２２０は、図６に示すように、最小階調値に対応するディミング値（３０％）と最大階調値に対応するディミング値（１００％）との間に設定された一次曲線形状を有するディミングカーブから白色データＷに対応する第１ディミング値Ｄｉｍ＿ｅを抽出して選択部２２２に供給する。
【００３８】
選択部２２２は、節電モード信号ＰＳＭによって、ディミング値抽出部２２０からの第１ディミング値Ｄｉｍ＿ｅ及び使用者によって設定される第２ディミング値Ｄｉｍ＿ｓのいずれかを選択してインバータ１５０に供給する。この時、第２ディミング値Ｄｉｍ＿ｓは、バックライトユニット１６０の電力消耗を減少させるために固定された値に設定される、または、使用者によって設定されることができ、本発明では略６７％に設定されると良い。これは、４色サブピクセルＲＧＢＷ構造の液晶パネル１００の本来の輝度は、３色サブピクセルＲＧＢ構造に比べて約１．５倍高いため、ディミング値を６７％程度に設定しても３色サブピクセルＲＧＢ構造と同じ輝度が得られるからである。
【００３９】
選択部２２２は、節電モード信号ＰＳＭがハイ状態の場合には、ディミング値抽出部２２０によって抽出された第１ディミング値Ｄｉｍ＿ｅを、ディミング信号Ｄｉｍとして選択してインバータ１５０に供給する。一方、選択部２２２は、節電モード信号ＰＳＭがロー状態の場合には、設定された第２ディミング値Ｄｉｍ＿ｓをディミング信号Ｄｉｍとして選択してインバータ１５０に供給する。
【００４０】
一方、ディミング値抽出部２２０で第１ディミング値Ｄｉｍ＿ｅを抽出するためのディミングカーブは、図７Ａに示すように、最小階調値に対応するディミング値（３０％）と最大階調値に対応するディミング値（１００％）との間に二次曲線形状で設定される、または、図７Ｂに示すように、最小階調値に対応するディミング値（３０％）と最大階調値に対応するディミング値（１００％）との間に対角線形状で設定されることができる。
【００４１】
図１で、パネルドライバ１４０は、制御部１３０からのデータ制御信号ＤＣＳによって、制御部１３０から供給される４色データＲＧＢＷのそれぞれを画像信号Ｖｄａｔａに変換して液晶パネル１００の各データラインに供給するデータ駆動部（図示せず）と、制御部１３０からのゲート制御信号ＧＣＳによって、液晶パネル１００のゲートライン単位にスキャンパルスＳＰを供給するゲート駆動部（図示せず）とを含んで構成される。
【００４２】
インバータ１５０は、制御部１３０からのディミング信号Ｄｉｍによってランプ駆動電圧ＶＬを発生してバックライトユニット１６０に供給する。このとき、ランプ駆動電圧ＶＬは、ディミング信号Ｄｉｍによってレベル及び幅のうち少なくとも一つが調節される。
【００４３】
バックライトユニット１６０は、インバータ１５０からのランプ駆動電圧ＶＬによって光を発生して液晶パネル１００の背面に照射する。このとき、バックライトユニット１６０は、ランプまたは複数の発光ダイオードで構成されることができる。
【００４４】
以下、上記のような本発明の実施の形態１によるモバイル用表示デバイスの駆動装置及びその駆動方法について説明する。
【００４５】
まず、バッテリ１１０の残量によって節電モード信号ＰＳＭを設定する。
【００４６】
バッテリの残量が基準値ｒｅｆ以上の場合には、１〜２の範囲に設定されるゲイン値Ｇａｉｎを用いて３色入力データＲＧＢを４色データＲＧＢＷに変換し、４色データＲＧＢＷのうち、白色データＷに対応するディミング信号Ｄｉｍを発生する。これにより、液晶パネル１００は、４色データＲＧＢＷに対応する画像信号Ｖｄａｔａによって、ディミング信号Ｄｉｍに応じてバックライトユニット１６０から照射される光透過率を調節してカラー画像を表示するようになる。
【００４７】
一方、バッテリの残量が基準値ｒｅｆ以下の場合には、２以上の有理数で設定される最大のゲイン値Ｇａｉｎを用いて３色入力データＲＧＢを４色データＲＧＢＷに変換し、バックライトユニット１６０の消費電力を減少させるように設定されたディミング信号Ｄｉｍを発生する。これにより、液晶パネル１００は、４色データＲＧＢＷに対応する画像信号Ｖｄａｔａと、ディミング信号Ｄｉｍに応じてバックライトユニット１６０から照射される光を用いてカラー画像を表示する。
【００４８】
したがって、本発明の実施の形態１によるモバイル用表示デバイスの駆動装置及び駆動方法は、バッテリ１１０の残量に対応する節電モード信号ＰＳＭによってゲイン値Ｇａｉｎ及びディミング信号Ｄｉｍを調節してバックライトユニット１６０の消費電力を減少させることにより、バッテリ１１０の使用時間を増加させることができる。
【００４９】
実施の形態２．
図８は、図３に示すデータ変換部の実施の形態２を示すブロック図である。
【００５０】
図８を図１に結びつけて説明すると、本発明の実施の形態２によるデータ変換部１３４は、３色入力データＲＩ、ＧＩ、ＢＩの輝度成分を用いて４色データＲＧＢＷを発生し、節電モード信号ＰＳＭによって、液晶パネル１００にカラー画像または白黒画像が表示されるように白色データＷを除く３色データＲＧＢを選択的に出力する。
【００５１】
このため、本発明の実施の形態２によるデータ変換部１３４は、ゲイン値設定部３１０、第１ガンマ補正部３１２、輝度／色差分離部３１４、輝度増幅部３１６、遅延部３１８、ミキシング部３２０及び第２ガンマ補正部３２２を含んで構成される。
【００５２】
ゲイン値設定部３１０は、節電モード信号発生部１２０からの節電モード信号ＰＳＭによってゲイン値Ｇａｉｎを設定して輝度増幅部３１６に供給する。
【００５３】
具体的に、ゲイン値設定部３１０は、節電モード信号ＰＳＭがハイ状態の場合には、ゲイン値Ｇａｉｎを“１≦Ｇ＜２”の範囲に設定して輝度増幅部３１６に供給する。一方、ゲイン値設定部３１０は、節電モード信号ＰＳＭがロー状態の場合には、ゲイン値Ｇａｉｎを最大または２以上の有理数に設定して輝度増幅部３１６に供給する。
【００５４】
第１ガンマ補正部３１２は、下式（３）のように、３色入力データＲＩ、ＧＩ、ＢＩを線形化した１次３色データＲａ、Ｇａ、Ｂａに逆ガンマ補正する。このとき、３色入力データＲＩ、ＧＩ、ＢＩは、陰極線管の出力特性を考慮してガンマ補正がなされた信号となる。
【００５５】
Ｒａ＝ＲＩγ
Ｇａ＝ＧＩγ                                                          （３）
Ｂａ＝ＢＩγ
【００５６】
輝度／色差分離部３１４は、１次３色データＲａ、Ｇａ、Ｂａを輝度成分Ｙ及び色差成分Ｕ、Ｖに分離する。このような輝度／色差分離部３１４は、１次３色データＲａ、Ｇａ、Ｂａから分離された輝度成分Ｙを輝度増幅部３１６に供給すると共に、１次３色データＲａ、Ｇａ、Ｂａから分離された色差成分Ｕ、Ｖを遅延部３１８に供給する。
【００５７】
輝度増幅部３１６は、輝度／色差分離部３１４から入力される輝度成分Ｙにゲイン値設定部３１０からのゲイン値Ｇａｉｎを乗算して、増幅された輝度成分Ｙ’を発生する。
【００５８】
遅延部３１８は、輝度増幅部３１６で増幅された輝度成分Ｙ’を発生する間に、色差成分Ｕ、Ｖを遅延させ、遅延された色差成分ＵＤ、ＶＤをミキシング部３２０に供給する。
【００５９】
ミキシング部３２０は、遅延部３１８からの遅延された色差成分ＵＤ、ＶＤと輝度増幅部３１６からの増幅された輝度成分Ｙ’とをミキシングして２次３色データＲｂ、Ｇｂ、Ｂｂを発生する。
【００６０】
第２ガンマ補正部３２２は、ミキシング部３２０からの２次３色データＲｂ、Ｇｂ、Ｂｂと輝度増幅部３１６からの増幅された輝度成分Ｙ’を、下式（４）によってガンマ補正して４色データＲＧＢＷを発生する。
【００６１】
Ｒ＝（Ｒｂ）１／γ
Ｇ＝（Ｇｂ）１／γ
Ｂ＝（Ｂｂ）１／γ                                                      （４）
Ｗ＝（Ｙ’）１／γ
【００６２】
このような本発明の実施の形態２によるデータ変換部１３４は、３色入力データＲＩ、ＧＩ、ＢＩを１次３色データＲａ、Ｇａ、Ｂａに逆ガンマ補正し、１次３色データＲａ、Ｇａ、Ｂａを輝度成分Ｙと色差成分Ｕ、Ｖとに分離し、分離された輝度成分Ｙを、節電モード信号ＰＳＭによって設定されたゲイン値Ｇａｉｎによって増幅し、増幅された輝度成分Ｙ’を発生する。また、本発明の実施の形態２によるデータ変換部１３４は、増幅された輝度成分Ｙ’と遅延された色差成分ＵＤ、ＶＤとをミキシングして２次３色データＲｂ、Ｇｂ、Ｂｂを発生し、２次３色データＲｂ、Ｇｂ、Ｂｂと増幅された輝度成分Ｙ’をガンマ補正して４色データＲＧＢＷを発生する。
【００６３】
実施の形態３．
図９は、図３に示すデータ変換部１３４の実施の形態３を示すブロック図である。
【００６４】
図９を図１に結びつけて説明すると、本発明の実施の形態３によるデータ変換部１３４は、節電モード信号ＰＳＭによって、液晶パネル１００にカラー画像または白黒画像が表示されるように白色データＷを除く３色データＲＧＢを選択的に出力する。
【００６５】
このため、本発明の実施の形態３によるデータ変換部１３４は、ゲイン値設定部４１０、データ増幅部４１２、白色データ抽出部４１４、減算部４１６及び選択部４１８を含んで構成される。
【００６６】
ゲイン値設定部４１０は、節電モード信号発生部１２０からの節電モード信号ＰＳＭによってゲイン値Ｇａｉｎを設定し、これをデータ増幅部４１２に供給する。
【００６７】
具体的に、ゲイン値設定部４１０は、節電モード信号ＰＳＭがハイ状態の場合には、ゲイン値Ｇａｉｎを“１≦Ｇ＜２”の範囲に設定してデータ増幅部４１２に供給する。一方、ゲイン値設定部４１０は、節電モード信号ＰＳＭがロー状態の場合には、ゲイン値Ｇａｉｎを最大または２以上の有理数に設定してデータ増幅部４１２に供給する。
【００６８】
データ増幅部４１２は、ゲイン値設定部４１０によって設定されるゲイン値Ｇａｉｎを、上式（１）のように乗算して３色増幅データＲａ、Ｇａ、Ｂａを発生する。
【００６９】
白色データ抽出部４１４は、データ増幅部４１２から入力される３色増幅データＲａ、Ｇａ、Ｂａから白色データＷを抽出し、これを減算部４１６、パネルドライバ１４０及びディミング信号発生部１３６に供給する。この時、白色データＷは、３色増幅データＲａ、Ｇａ、Ｂａの共通成分、すなわち、赤色Ｒａ、緑色Ｇａ及び青色Ｂａデータのそれぞれの階調値のうち最小階調値になりうる。また、白色データＷは、赤色Ｒａ、緑色Ｇａ及び青色Ｂａデータのそれぞれの階調値のうち最大階調値と最小階調値の差、または、平均階調値になっても良い。
【００７０】
減算部４１６は、上式（２）のように、データ増幅部４１２から入力される３色増幅データＲａ、Ｇａ、Ｂａのそれぞれから、白色データ抽出部４１４から供給される白色データＷを減算して、４色データＲＧＢＷのうち３色データＲＧＢを発生する。
【００７１】
選択部４１８は、節電モード信号ＰＳＭによって、減算部４１６から供給される３色データＲＧＢを選択的にパネルドライバ１４０に供給する。
【００７２】
具体的に、選択部４１８は、節電モード信号ＰＳＭがハイ状態の場合には、３色データＲＧＢをパネルドライバ１４０に供給する。これにより、パネルドライバ１４０には選択部４１８からの３色データＲＧＢと、白色データ抽出部４１４からの白色データＷとが供給される。
【００７３】
一方、選択部４１８は、節電モード信号ＰＳＭがロー状態の場合には、３色データＲＧＢをパネルドライバ１４０に供給しない。これにより、パネルドライバ１４０には、白色データ抽出部４１４からの白色データＷのみが供給される。
【００７４】
このような本発明の実施の形態３によるデータ変換部１３４は、ハイ状態の節電モード信号ＰＳＭに応じて、３色データＲＧＢ及び白色データＷの４色データＲＧＢＷをパネルドライバ１４０に供給して、液晶パネル１００にカラー画像が表示されるようにし、一方、ロー状態の節電モード信号ＰＳＭに応じて４色データＲＧＢＷのうち白色データＷのみをパネルドライバ１４０に供給して、液晶パネル１００に白黒画像が表示されるようにする。
【００７５】
以下、このような実施の形態３のデータ変換部１３４を含むモバイル用表示デバイスの駆動装置及びその駆動方法について説明する。
【００７６】
まず、バッテリ１１０の残量と基準値ｒｅｆとを比較し、ハイ状態またはロー状態の節電モード信号ＰＳＭを発生する。
【００７７】
バッテリの残量が基準値ｒｅｆ以上の場合には、１〜２の範囲に設定されるゲイン値Ｇａｉｎを用いて３色入力データＲＩ、ＧＩ、ＢＩを増幅し、３色増幅データＲａ、Ｇａ、Ｂａから白色データＷを抽出する。また、３色増幅データＲａ、Ｇａ、Ｂａから抽出された白色データＷを減算して３色データＲＧＢを発生し、白色データＷに対応するディミング信号Ｄｉｍを発生する。そして、ハイ状態の節電モード信号ＰＳＭに応じて３色データＲＧＢを選択し、選択された３色データＲＧＢと、抽出された白色データＷとをパネルドライバ１４０を介して液晶パネル１００に供給する。
【００７８】
これにより、液晶パネル１００は、４色データＲＧＢＷに対応する画像信号Ｖｄａｔａによって、ディミング信号Ｄｉｍに応じてバックライトユニット１６０から照射される光透過率を調節してカラー画像を表示するようになる。
【００７９】
一方、バッテリの残量が基準値ｒｅｆ以下の場合には、最大と設定されるゲイン値Ｇａｉｎを用いて３色入力データＲＩ，ＧＩ，ＢＩを増幅し、３色増幅データＲａ、Ｇａ、Ｂａから白色データＷを抽出する。また、抽出された白色データＷのみをパネルドライバ１４０に供給するとともに、バックライトユニット１６０の消費電力を減少させるように設定されたディミング信号Ｄｉｍを発生する。これにより、液晶パネル１００は、白色データＷに対応する白色画像信号Ｖｄａｔａと、ディミング信号Ｄｉｍに応じてバックライトユニット１６０から照射される光を用いて白黒画像を表示する。この時、３色サブピクセルＲＧＢは、オフＯＦＦ状態である、または、ブラック信号が供給される。
【００８０】
したがって、実施の形態３のデータ変換部１３４を含むモバイル用表示デバイスの駆動装置及び駆動方法は、バッテリ残量によってカラー表示モードまたは白黒表示モードに転換し、白黒表示モード時にバックライトユニットのディミング値を減少させることによって、バッテリの使用時間を増加させることができる。
【００８１】
実施の形態４．
図１０は、図３に示すデータ変換部１３４の実施の形態４を示すブロック図である。
【００８２】
図１０を図１に結びつけて説明すると、本発明の実施の形態４によるデータ変換部１３４は、３色入力データＲＩ、ＧＩ、ＢＩの輝度成分を用いて４色データＲＧＢＷを発生し、節電モード信号ＰＳＭによって、液晶パネル１００にカラー画像または白黒画像が表示されるように白色データＷを除く３色データＲＧＢを選択的に出力する。
【００８３】
このため、本発明の実施の形態４によるデータ変換部１３４は、ゲイン値設定部３１０、第１ガンマ補正部３１２、輝度／色差分離部３１４、輝度増幅部３１６、遅延部３１８、ミキシング部３２０、選択部５２１及び第２ガンマ補正部５２２を含んで構成される。
【００８４】
本発明の実施の形態４によるデータ変換部１３４においてゲイン値設定部３１０、第１ガンマ補正部３１２、輝度／色差分離部３１４、輝度増幅部３１６、遅延部３１８及びミキシング部３２０は、図８に示す本発明の実施の形態２によるデータ変換部１３４のそれらと同一の構成及び動作を有するので、その詳細説明は省略する。
【００８５】
選択部５２１は、節電モード信号ＰＳＭによって、ミキシング部３２０から供給される２次３色データＲｂ、Ｇｂ、Ｂｂを選択的に第２ガンマ補正部５２２に供給する。
【００８６】
具体的に、選択部５２１は、節電モード信号ＰＳＭがハイ状態の場合には、２次３色データＲｂ、Ｇｂ、Ｂｂを第２ガンマ補正部５２２に供給する。これにより、第２ガンマ補正部５２２には、選択部５２１からの２次３色データＲｂ、Ｇｂ、Ｂｂと輝度増幅部３１６からの増幅された輝度成分Ｙ’が供給される。
【００８７】
一方、選択部５２１は、節電モード信号ＰＳＭがロー状態の場合には、２次３色データＲｂ、Ｇｂ、Ｂｂを第２ガンマ補正部５２２に供給しない。これにより、第２ガンマ補正部５２２には、輝度増幅部３１６からの増幅された輝度成分Ｙ’のみが供給される。
【００８８】
第２ガンマ補正部５２２は、選択部５２１からの２次３色データＲｂ、Ｇｂ、Ｂｂと輝度増幅部３１６からの増幅された輝度成分Ｙ’を、上式（４）によってガンマ補正して４色データＲＧＢＷを発生する。
【００８９】
このような本発明の実施の形態４によるデータ変換部１３４は、３色入力データＲＩ、ＧＩ、ＢＩを１次３色データＲａ、Ｇａ、Ｂａに逆ガンマ補正し、１次３色データＲａ、Ｇａ、Ｂａを輝度成分Ｙと色差成分Ｕ、Ｖとに分離し、分離された輝度成分Ｙをゲイン値Ｇａｉｎによって増幅して増幅された輝度成分Ｙ’を発生する。なお、本発明の実施の形態４によるデータ変換部１３４は、増幅された輝度成分Ｙ’と遅延された色差成分ＵＤ、ＶＤとをミキシングして２次３色データＲｂ、Ｇｂ、Ｂｂを発生し、節電モード信号ＰＳＭによって、２次３色データＲｂ、Ｇｂ、Ｂｂを選択的にガンマ補正するとともに、増幅された輝度成分Ｙ’をガンマ補正して４色データＲＧＢＷを発生する。
【００９０】
実施の形態５．
図１１は、本発明の実施の形態５によるモバイル用表示デバイスの駆動装置を概略的に示すブロック図である。
【００９１】
図１１を参照すると、本発明の実施の形態５によるモバイル用表示デバイスの駆動装置は、４色のサブピクセル領域ごとに形成された液晶セルの光透過率を調節して画像を表示する液晶パネル１００と、電圧の充電されたバッテリ１１０と、周辺光量ＡＢＳを検出する光センサー７１０と、周辺光量ＡＢＳによって液晶パネル１００の節電モードを設定するための節電モード信号ＰＳＭを発生する節電モード信号発生部７２０と、節電モード信号ＰＳＭによってゲイン値を設定し、設定されたゲイン値によって外部からの３色入力データＲＩ、ＧＩ、ＢＩを４色データＲＧＢＷに変換し、節電モード信号ＰＳＭに応じてディミング信号Ｄｉｍを発生する制御部１３０と、制御部１３０からの４色データＲＧＢＷに対応する画像を液晶パネル１００に表示するパネルドライバ１４０と、制御部１３０からのディミング信号Ｄｉｍによってランプ駆動電圧ＶＬを発生するインバータ１５０と、インバータ１５０からのランプ駆動電圧ＶＬによって光を発生して液晶パネル１００に照射するバックライトユニット１６０と、バッテリ１１０に充電された電圧を用いてモバイル用表示デバイスの駆動に必要な各種電源を発生する電源発生部１７０とを含んで構成される。
【００９２】
このような、本発明の実施の形態５によるモバイル用表示デバイスの駆動装置は、光センサー７１０及び節電モード信号発生部７２０を除けば、図１に示す本発明の実施の形態１によるモバイル用表示デバイスの駆動装置と同様の構成を有するので、同一構成についての説明は省略するものとする。
【００９３】
一方、本発明の実施の形態５によるモバイル用表示デバイスの駆動装置において、制御部１３０は、図４、図８乃至図１０に示す本発明の実施の形態１〜４におけるデータ変換部１３４のいずれかを含んで構成される。
【００９４】
光センサー７１０は、モバイル用表示デバイスの周辺光量ＡＢＳを検出して節電モード信号発生部７２０に供給する。
【００９５】
節電モード信号発生部７２０は、使用者によりモバイル用表示デバイスが節電モードに設定された場合には、光センサー７１０からの周辺光量ＡＢＳと基準信号ｒｅｆとを比較して節電モード信号ＰＳＭを発生する。このとき、節電モード信号ＰＳＭは、検出信号ＢＣが基準信号ｒｅｆ以上の場合にはハイ状態となり、そうでない場合にはロー状態となる。ここで、基準値ｒｅｆは、使用者の設定による基準明るさになりうる。
【００９６】
このような本発明の実施の形態５によるモバイル用表示デバイスの駆動装置及びその駆動方法について説明すると、下記の通りである。
【００９７】
まず、光センサー７１０を用いてモバイル用表示デバイスの周辺光量ＡＢＳを検出し、検出された周辺光量ＡＢＳによって節電モード信号ＰＳＭを設定する。
【００９８】
周辺光量ＡＢＳが基準値ｒｅｆ以上の場合には、１〜２の範囲に設定されるゲイン値Ｇａｉｎを用いて３色入力データＲＧＢを４色データＲＧＢＷに変換し、４色データＲＧＢＷのうちの白色データＷに対応するディミング信号Ｄｉｍを発生する。これにより、液晶パネル１００は、４色データＲＧＢＷに対応する画像信号Ｖｄａｔａによって、ディミング信号Ｄｉｍに応じてバックライトユニット１６０から照射される光透過率を調節してカラー画像を表示するようになる。
【００９９】
一方、周辺光量ＡＢＳが基準値ｒｅｆ以下の場合には、２以上の有理数に設定される最大のゲイン値Ｇａｉｎを用いて３色入力データＲＧＢを４色データＲＧＢＷに変換し、バックライトユニット１６０の消費電力を減少させるように設定されたディミング信号Ｄｉｍを発生する。これにより、液晶パネル１００は、４色データＲＧＢＷに対応する画像信号Ｖｄａｔａと、ディミング信号Ｄｉｍに応じてバックライトユニット１６０から照射される光とを用いてカラー画像を表示するようになる。
【０１００】
したがって、本発明の実施の形態５によるモバイル用表示デバイスの駆動装置及び駆動方法は、周辺光量ＡＢＳに対応する節電モード信号ＰＳＭによってゲイン値Ｇａｉｎ及びディミング信号Ｄｉｍを調節してバックライトユニット１６０の消費電力を減少させることによって、バッテリ１１０の使用時間を増加させることができる。
【０１０１】
なお、本発明によるモバイル用表示デバイスの駆動装置及び駆動方法は、移動通信端末機、ＰＣＳ（Personal Communication Service）端末機、ＰＤＡ（Personal Digital Assistant）、スマートフォン及び次世代移動通信（ＩＭＴ−２０００）端末機を含むモバイル用端末機、ノートブックコンピュータ、ナビゲーション端末機及び携帯用ゲーム機などに適用されることができる。
【図面の簡単な説明】
【０１０２】
【図１】本発明の実施の形態１によるモバイル用表示デバイスの駆動装置を概略的に示すブロック図である。
【図２】図１に示す節電モード信号発生部を概略的に示すブロック図である。
【図３】図１に示す制御部を概略的に示すブロック図である。
【図４】図３に示すデータ変換部の実施の形態１を示すブロック図である。
【図５】図３に示すディミング信号発生部を概略的に示すブロック図である。
【図６】図５に示すディミング値抽出部から第１ディミング値を抽出するための一次曲線形状のディミングカーブを示すグラフである。
【図７Ａ】図５に示すディミング値抽出部で第１ディミング値を抽出するための二次曲線形状のディミングカーブを示すグラフである。
【図７Ｂ】図５に示すディミング値抽出部で第１ディミング値を抽出するための対角線形状のディミングカーブを示すグラフである。
【図８】図３に示すデータ変換部の実施の形態２を示すブロック図である。
【図９】図３に示すデータ変換部の実施の形態３を示すブロック図である。
【図１０】図３に示すデータ変換部の実施の形態４を示すブロック図である。
【図１１】本発明の実施の形態５によるモバイル用表示デバイスの駆動装置を概略的に示すブロック図である。
【符号の説明】
【０１０３】
１００  液晶パネル、１１０  バッテリ、１２０  節電モード信号発生部、１２２  バッテリ残量検出部、１２４  比較部、１３０  制御部、１３２  ドライバ制御信号発生部、１３４  データ変換部、１３６  ディミング信号発生部、１４０  パネルドライバ、１５０  インバータ、１６０  バックライトユニット、１７０  電源発生部、２１０  ゲイン値設定部、２１２  データ増幅部、２１４  白色データ抽出部、２１６  減算部、２２０  ディミング値抽出部、２２２  選択部、３１０  ゲイン値設定部、３１２  第１ガンマ補正部、３１４  輝度／色差分離部、３１６  輝度増幅部、３１８  遅延部、３２０  ミキシング部、３２２  第２ガンマ補正部、４１０  ゲイン値設定部、４１２  データ増幅部、４１４  白色データ抽出部、４１６  減算部、４１８  選択部、５２１  選択部、５２２  第２ガンマ補正部、７１０  光センサー、７２０  節電モード信号発生部。
【図１】
2007199689.tif 000003
【図２】
2007199689.tif 000004
【図３】
2007199689.tif 000005
【図４】
2007199689.tif 000006
【図５】
2007199689.tif 000007
【図６】
2007199689.tif 000008
【図７Ａ】
2007199689.tif 000009
【図７Ｂ】
2007199689.tif 000010
【図８】
2007199689.tif 000011
【図９】
2007199689.tif 000012
【図１０】
2007199689.tif 000013
【図１１】
2007199689.tif 000014